(57)【要約】【課題】安価で、かつ赤外線センサーへの天板ガラスからの輻射熱の影響を小さくできるようにする。【解決手段】調理器具２００を載置する天板ガラス２と、調理器具２００を加熱する加熱部６ａ，６ｂ，６ｃと、天板ガラス２の下に配置されて調理器具２００の底面から放射される赤外線エネルギーを検知する赤外線センサー１２と、調理器具２００の底面からの赤外線を透過させる閉塞された透過窓１５を有し、赤外線センサー１２が収容されたセンサーケース２３と、を備え、赤外線センサー１２が受光する赤外線の光路上には、反射防止膜４１，４２とバンドパスフィルター１１とを備え、反射防止膜４１，４２は、シリコンを母材とするフィルターに薄膜蒸着を施したものである。【選択図】図２
2015084306.tif 000002
【特許請求の範囲】
【請求項１】
調理器具を載置する天板ガラスと、
前記調理器具を加熱する加熱部と、
前記天板ガラスの下に配置されて前記調理器具の底面から放射される赤外線エネルギーを検知する赤外線センサーと、
前記調理器具の底面からの赤外線を透過させる閉塞された透過窓を有し、前記赤外線センサーが収容されたセンサーケースと、
を備え、
前記赤外線センサーが受光する赤外線の光路上には、反射防止膜とバンドパスフィルターとを備え、
前記反射防止膜は、シリコンを母材とするフィルターに薄膜蒸着を施したものであることを特徴とする加熱調理器。
【請求項２】
前記反射防止膜は、透過特性として、３〜４．５μｍの波長帯の間に透過率のピークを有することを特徴とする請求項１に記載の加熱調理器。
【請求項３】
前記反射防止膜は、３〜４．５μｍの波長帯の透過率が、４．５μｍ以上の波長帯の透過率よりも高いことを特徴とする請求項１又は２に記載の加熱調理器。
【請求項４】
前記反射防止膜は、透過特性におけるピークの波長の透過率が９０％以上であることを特徴とする請求項１〜３のいずれかに記載の加熱調理器。
【請求項５】
前記反射防止膜は、透過特性におけるピークの波長が４．３μｍであることを特徴とする請求項１〜４のいずれかに記載の加熱調理器。
【請求項６】
前記反射防止膜は、前記透過窓を覆う窓材に施し、
前記バンドパスフィルターは、前記赤外線センサーと一体の受光部フィルターに施したものであることを特徴とする請求項１〜５のいずれかに記載の加熱調理器。
【請求項７】
前記反射防止膜は、前記赤外線センサーと一体の受光部フィルターに施し、
前記バンドパスフィルターは、前記透過窓を覆う窓材に施したものであることを特徴とする請求項１〜５のいずれかに記載の加熱調理器。
【請求項８】
前記反射防止膜は、前記透過窓を覆う窓材の表裏面における一方の面に施し、
前記バンドパスフィルターは、前記窓材の表裏面における他方の面に施したものであることを特徴とする請求項１〜５のいずれかに記載の加熱調理器。
【請求項９】
前記反射防止膜は、前記赤外線センサーと一体の受光部フィルターの表裏面の一方の面に施し、
前記バンドパスフィルターは、前記受光部フィルターの表裏面の他方の面に施したものであることを特徴とする請求項１〜５のいずれかに記載の加熱調理器。
【請求項１０】
前記バンドパスフィルターは、前記天板ガラスと同じ透過特性を有することを特徴とする請求項１〜５のいずれかに記載の加熱調理器。
【請求項１１】
前記バンドパスフィルターは、透過特性として、３〜４．５μｍの波長帯の間に透過率のピークを有することを特徴とする請求項６〜１０のいずれかに記載の加熱調理器。
【請求項１２】
誘導加熱コイルを用いた前記加熱部と、
前記誘導加熱コイルを取り付けるコイルベースと、
前記誘導加熱コイルに電力を供給する高周波インバーターと、
前記高周波インバーターの電力を制御する制御部と、
を有することを特徴とする請求項１〜１１のいずれかに記載の加熱調理器。
【請求項１３】
前記センサーケースを前記コイルベースに固定したことを特徴とする請求項１２に記載の加熱調理器。
【請求項１４】
前記センサーケースの前記天板ガラスに対向する面に、メッキを施したことを特徴とする請求項１〜１３のいずれかに記載の加熱調理器。
【請求項１５】
前記センサーケースの少なくとも一部に、非磁性材料を用いたことを特徴とする請求項１〜１４のいずれかに記載の加熱調理器。
【請求項１６】
ガスバーナーを用いた前記加熱部と、
前記ガスバーナーにガスを供給するガス供給調節手段と、
前記ガス供給調節手段のガス供給量を制御する制御部と、
を有することを特徴とする請求項１〜１１のいずれかに記載の加熱調理器。
【請求項１７】
前記制御部で予め設定された出力を検知したら、前記加熱部を停止もしくは火力を低下するよう制御することを特徴とする請求項１２又は１６に記載の加熱調理器。
【請求項１８】
音声出力部と、
前記音声出力部を制御する音声出力制御部とを備え、
前記音声出力制御部は、前記赤外線センサーで予め設定された出力を検知したら、前記音声出力部より音声を出力させるように制御することを特徴とする請求項１〜１７のいずれかに記載の加熱調理器。
【請求項１９】
前記反射防止膜が施されたフィルターは、前記センサーケースに固定されていることを特徴とする請求項１〜１８のいずれかに記載の加熱調理器。
【請求項２０】
前記反射防止膜は、単層で施されていることを特徴とする請求項１〜１９のいずれかに記載の加熱調理器。
【請求項２１】
前記反射防止膜は、母材の片面もしくは両面に施されていることを特徴とする請求項１〜７、１０〜１９のいずれかに記載の加熱調理器。
【請求項２２】
前記窓材は、前記透過窓の上または下に配置され、開口部を有する樹脂カバーで前記透過窓に押し付けられて固定されていることを特徴とする請求項１〜２１のいずれかに記載の加熱調理器。
【請求項２３】
前記窓材は、前記透過窓の上に配置され、開口部を有する防磁板で前記透過窓に押し付けられて固定されていることを特徴とする請求項１〜２１のいずれかに記載の加熱調理器。
【請求項２４】
前記窓材は、前記透過窓の上または下に配置され、前記赤外線センサーの視野外となる該透過窓の縁に、接着剤にて固定されていることを特徴とする請求項１〜２１のいずれかに記載の加熱調理器。
【請求項２５】
前記窓材は、前記透過窓の上または下に配置され、前記赤外線センサーの視野外となる該透過窓の縁に、両面テープにて固定されていることを特徴とする請求項１〜２１のいずれかに記載の加熱調理器。
【請求項２６】
前記窓材は、前記透過窓の上または下に配置され、前記赤外線センサーの視野外となる該透過窓の縁に設けた爪に係合し、固定されていることを特徴とする請求項１〜２１のいずれかに記載の加熱調理器。
【請求項２７】
前記反射防止膜が施されたフィルターは、円形または多角形に形成されていることを特徴とする請求項１〜２６のいずれかに記載の加熱調理器。
【請求項２８】
前記センサーケースの周壁をその端面が前記天板ガラス方向へ延出させて筒状の延長された遮蔽壁を形成し、この筒状の延長された遮蔽壁の途中に前記窓材を配置したことを特徴とする請求項１〜２７のいずれかに記載の加熱調理器。
【発明の詳細な説明】
【技術分野】
【０００１】
本発明は、鍋底温度の赤外線エネルギーを効率良く抽出できる赤外線センサーを備えた加熱調理器に関する。
【背景技術】
【０００２】
加熱調理器において、トッププレートに用いられる結晶化ガラス（以下、天板ガラスという）に載置された鍋の鍋底温度を、天板ガラス越しに検出する手段として、鍋底から放射される赤外線エネルギーを赤外線センサーで検知し、その赤外線センサーの出力から、温度情報に変換し、その温度情報に基いて火力を制御するものがある。
【０００３】
このようなものにおいて、赤外線センサーで調理器具の温度を精度良く検知するために、赤外線センサーを加熱コイルの冷却ダクト内部に配置し、加熱コイルの冷却だけでなく、赤外線センサーそのものの温度上昇を抑えるようにしたものがある（例えば、特許文献１参照）。
【０００４】
ところで、赤外線センサーは、鍋底から放射される赤外線エネルギーだけでなく、天板ガラスから放射される赤外線エネルギーも検知する。天板ガラス（結晶化ガラス）は、０.２μｍ〜２.９μｍの波長の光を透過し、３〜４.５μｍの波長の光を透過し、４.５μｍよりも長い波長、及び、０.２μｍよりも短い波長の光を殆ど透過しないことが知られている。また、冷却風が赤外線センサーに直接当たると熱ゆらぎを起こすことも知られている。そこで、赤外線センサーケースを、冷却風路の冷却風送出孔に配置するとともに、天板ガラスと同じ透過特性をもつ結晶化ガラスをセンサーケースに嵌め込むことで、冷却風が赤外線センサーに直接当たり熱ゆらぎを起こすのを防ぐようにしたものがある（例えば、特許文献２参照）。
【０００５】
また、鍋底温度を正しく検知するために、天板ガラスの透過特性を考慮した光学フィルタ（バンドパスフィルター）を赤外線センサーの受光面を覆うように設けて、天板ガラスからの輻射成分を取り除き、Ｓ／Ｎ比を改善したものがある（例えば、特許文献３参照）。
【０００６】
また、赤外線センサーの受光面を覆うバンドパスフィルターを設けるとともに、サファイアあるいはフッ化マグネシウムあるいはイットリアのいずれかを材料として用いて構成した窓材を天板ガラスに開けた貫通穴に埋め込み、窓材には下面に反射防止膜をコーティングして、赤外線の透過率を向上させたものがある（例えば、特許文献４参照）。
【先行技術文献】
【特許文献】
【０００７】
【特許文献１】特開２００９−２５２６３３号公報（要約、図１）
【特許文献２】特許第５１３５３８６号公報（請求項１、図３、図６）
【特許文献３】特開２０１０−２４４９９８号公報（要約、図４、図６、図７）
【特許文献４】特開２００４−９５３１５号公報（請求項１，８、図１）
【発明の概要】
【発明が解決しようとする課題】
【０００８】
赤外線センサーを加熱コイルの冷却ダクト内部に配置し、赤外線センサーそのものの温度上昇を抑えるようにしたもの（特許文献１）にあっては、冷却風が赤外線センサーに直接当たり熱ゆらぎを起こすのを防ぐことができない。
【０００９】
また、天板ガラスからの輻射成分を取り除くためには、赤外線センサーの光学フィルター部分に、バンドパスフィルターの透過特性として、３〜４．５μｍ付近の波長の帯域のみを透過するように薄膜蒸着コーティングを施す必要がある（特許文献２）。しかしながら、３〜４．５μｍの帯域以外の帯域の波長を完全に透過させないようにコーティングすることは難しく、コストもアップする。バンドパスフィルターの透過特性としては、１０μｍ以上の波長の帯域においてリーク成分が存在し易くなる。そして、天板ガラスの輻射の影響（ノイズ）を受け易くなり、Ｓ／Ｎ比悪化によって温度検出精度も悪化する。
【００１０】
また、バンドパスフィルター目的で天板ガラスと同じ透過特性のガラスを用い、センサーケースの受光面（開口部）を閉じたもの（特許文献３）にあっては、ガラスは熱伝導特性が悪く、熱を吸収し易いため、追加したガラスからの２次輻射の影響で、検知温度精度が悪化するという問題がある。この問題を従来は、２つの温度センサーを用い、１つは追加したガラスの温度を、もう１つは追加したガラス越しの鍋底の温度を、それぞれ見ることで、差し引きして鍋底温度を算出することで解決しているが、その場合には、追加する部品（温度センサー）の配置スペースの問題や、コストアップになるという新たな問題が発生していた。
【００１１】
更に、赤外線センサーチップで受けた赤外線を電圧に変換する場合、微小な出力のため、オペアンプ等によって、高いゲインで増幅する必要があるが、バンドパスフィルター又はガラス等によって、透過帯域を限定した場合、赤外線センサーに入力する赤外線エネルギーが更に減衰するため、１０００倍以上の高いゲインで増幅する必要がある。
【００１２】
また、通常、赤外線センサーは、センサーケース内に配置して用いられる。そのため、センサーケースには、赤外線センサーの視野範囲を遮らないように開口部が設けられている。特に、加熱調理器が誘導加熱調理器である場合、加熱コイルやインバーター基板などを冷却するための冷却風路が設けられており、調理器本体内部には、この冷却風が流れている。一方、赤外線センサーは、一般に金属ケースによってセンサーチップを封止しており、金属ケース内部がセンサーチップの視野範囲にある場合は、金属ケースの温度変動の影響を受け易くなる。
【００１３】
そのため、センサーケースの開口部から冷却風が進入し、赤外線センサーの金属ケースに冷却風が当たると、金属ケースが冷やされるため、センサーチップが受ける赤外線エネルギーは減少し、赤外線センサーの出力も減少する。更に、冷却風は常に一定ということはなく、僅かに揺らいでいるため、赤外線センサーの出力も揺らいでしまい、バンドパスフィルターを用いる場合、前記した非常に高いゲインでその揺らぎ成分も増幅されるため、Ｓ／Ｎ比が悪化し、正しい温度が検知できないという問題がある。
【００１４】
また、冷却風は、加熱調理器外部から取り込むが、調理物を加熱した場合に発生する水蒸気も取り込まれる。そのため、センサーケースの開口部からは、湿気が入り込み、赤外線センサーが搭載されている基板において、赤外線センサーの端子を半田で固定するランド間や、コネクタの端子を半田で固定するランド間で、配線や電極として使用した金属が、絶縁物の上や界面を移動するマイグレーションが発生し易くなる。マイグレーションが発生した場合は、端子間ショートを引き起こし、正しいセンサー出力が出力されない、もしくは機器内部に影響を及ぼす不具合となる恐れがある。
【００１５】
また、反射防止膜の透過率を向上させるために、天板ガラスに設けた貫通穴に嵌め込んだ窓材に施したもの（特許文献４）にあっては、反射防止膜の透過特性が明記されておらず、コーティングする窓材（母材）の材質がサファイアなどの高価な材料であり、コストが高価となる。さらに、赤外線センサーが風にさらされるため、風による影響を受けやすいという問題がある。
【００１６】
本発明は、前記のような課題を解決するためになされたもので、安価で、かつ赤外線センサーへの天板ガラスからの輻射熱の影響を小さくできるようにすることを目的とする。
【課題を解決するための手段】
【００１７】
本発明に係る加熱調理器は、調理器具を載置する天板ガラスと、調理器具を加熱する加熱部と、天板ガラスの下に配置されて調理器具の底面から放射される赤外線エネルギーを検知する赤外線センサーと、調理器具の底面からの赤外線を透過させる閉塞された透過窓を有し、赤外線センサーが収容されたセンサーケースと、を備え、赤外線センサーが受光する赤外線の光路上には、反射防止膜とバンドパスフィルターとを備え、反射防止膜は、シリコンを母材とするフィルターに薄膜蒸着を施したものである。
【発明の効果】
【００１８】
本発明の加熱調理器においては、赤外線センサーが受光する赤外線の光路上に、反射防止膜とバンドパスフィルターの２種類の光学フィルターを備え、反射防止膜は、シリコンを母材とするフィルターに薄膜蒸着を施したものであるので、汎用かつ安価な構成とすることができる。また、シリコンは、熱伝導率が高い（１．４９×１０２[Ｗ/ｍ・Ｋ]）ため、熱吸収率が小さく、天板ガラスから放射される熱（輻射熱）の影響を受けにくくなり、かつ赤外線センサーへの天板ガラスからの輻射熱の影響も小さくすることができる。このため、赤外線センサーそのものの温度上昇を防ぐことができ、不要なノイズを防ぎ、Ｓ／Ｎ比が向上する。
【図面の簡単な説明】
【００１９】
【図１】本発明の実施形態１に係る加熱調理器の上面図である。
【図２】本発明の実施形態１に係る加熱調理器の構成を示すブロック図である。
【図３】本発明の実施形態１に係る加熱調理器の赤外線センサーを収納するセンサーケースの斜視図である。
【図４】光の波長に対して物体から放射されるエネルギーである分光放射輝度曲線を示すグラフである。
【図５】天板ガラス（結晶化ガラス）の透過特性の線図を各温度分光放射輝度曲線と共に示すグラフである。
【図６】シリコンを母材とする反射防止膜の透過特性を示すグラフである。
【図７】バンドパスフィルターの透過特性を示すグラフである。
【図８】反射防止膜の透過特性の線図をバンドパスフィルターの透過特性の線図と共に示すグラフである。
【図９】バンドパスフィルターの透過特性の線図を天板ガラス（結晶化ガラス）の透過特性の線図と共に示すグラフである。
【図１０】炎から放射される赤外線の波長と強度の特性を示すグラフである。
【図１１】本発明の実施形態１に係る加熱調理器の反射防止膜が施されたフィルターを示す模式図である。
【図１２】本発明の実施形態１に係る加熱調理器の反射防止膜が施された窓材のセンサーケースへの取付の第１例を示す断面図である。
【図１３】本発明の実施形態１に係る加熱調理器の反射防止膜が施された窓材のセンサーケースへの取付の第２例を示す断面図である。
【図１４】本発明の実施形態１に係る加熱調理器の反射防止膜が施された窓材のセンサーケースへの取付の第３例を示す断面図である。
【図１５】本発明の実施形態１に係る加熱調理器の反射防止膜が施された窓材のセンサーケースへの取付の第４例を示す断面図である。
【図１６】本発明の実施形態１に係る加熱調理器の反射防止膜が施された窓材のセンサーケースへの取付の第５例を示す断面図である。
【図１７】本発明の実施形態１に係る加熱調理器の反射防止膜が施された窓材のセンサーケースへの取付の第６例を示す断面図である。
【図１８】本発明の実施形態１に係る加熱調理器の反射防止膜が施された窓材のセンサーケースへの取付の第７例を示す断面図である。
【図１９】本発明の実施形態１に係る加熱調理器の反射防止膜が施された窓材のセンサーケースへの取付の第８例を示す断面図である。
【図２０】本発明の実施形態２に係る加熱調理器の構成を示すブロック図である。
【発明を実施するための形態】
【００２０】
以下、本発明に係る加熱調理器を、誘導加熱による調理鍋載置部を左右手前に二口と中央奥側に一口設けた、ビルトイン型（組込み型）の加熱調理器（ＩＨクッキングヒーター）に適用した場合（実施形態１）と、加熱部にガスバーナーを用いた場合（実施形態２）と、を例に挙げて説明する。なお、以下に示す図面の形態によって本発明が限定されるものではない。また、各図において、同一の構成には同一の符号を付している。
【００２１】
実施形態１．
図１は本発明の実施形態１に係る加熱調理器の上面図である。図２は本発明の実施形態１に係る加熱調理器の構成を示すブロック図である。
本発明の実施形態１に係る加熱調理器すなわち誘導加熱調理器１００は、図１のようにその本体１が、上部に開口を有する矩形状箱体に形成されている。本体１の上部開口は、前枠部３１と後枠部３２を有する天板ガラス２によって覆われている。図１では前枠部３１と後枠部３２のみとしているが、左右含めた四方を個別の枠体で囲んでもよいし、前後左右を１つの枠体として構成してもよい。天板ガラス２は、図２のように調理を行う際に上面に調理器具２００を載置するものであり、結晶化ガラスによって構成され、その裏面には内部が見えないように、可視光を通さない材料を用いた塗料の塗布または印刷等が施されている。また、天板ガラス２の表面には、例えば、調理器具２００を加熱する位置を示す円形の加熱部６ａ，６ｂ，６ｃが、塗料の塗布または印刷等の方法で表示されている。なお、下方に後述の赤外線センサー１２が配置される部位７ａ，７ｂには、赤外線を透過させるために塗料の塗布や印刷等が施されていない、もしくは赤外線センサーの受光に影響しないように、前記結晶化ガラスの赤外線透過帯域は透過できるような材料を用いて塗布または印刷を施すか、塗料または印刷面積を小さくするなど工夫されている。
【００２２】
天板ガラス２の前枠部３１には、操作部３ａ，３ｂ，３ｃと火力表示部５ａ，５ｂ，５ｃとが、加熱部６ａ，６ｂ，６ｃにそれぞれ対応して設けられている。
【００２３】
天板ガラス２の後枠部３２には、左右に吸気口９ａ，９ｂが、また中央部に排気口８が、設けられており、それぞれ複数の穴（図示せず）を有する吸気口カバー１０ａ，１０ｂと排気口カバー１０ｃによって通気可能に覆われている。なお、吸気口９ａ，９ｂは、本体１の背面や底面等他の位置に設けてもよいものである。
【００２４】
天板ガラス２の前縁側の中央部には、中央の加熱部６ｃの動作状態や、グリル（図示せず）の操作手順、動作状態等を表示する中央液晶表示部４ｃと、その加熱部６ｃの火力を表示する中央火力表示部５ｃとが設けられている。また、中央液晶表示部４ｃの左右には、加熱部６ａ，６ｂの動作状態をそれぞれ表示する液晶表示部４ａ，４ｂと、その加熱部６ａ，６ｂの火力をそれぞれ表示する火力表示部５ａ，５ｂとが設けられている。
【００２５】
本体１内の天板ガラス２の下方には、図２のように各加熱部６ａ，６ｂ，６ｃに対向する位置に、加熱部６ａ，６ｂ，６ｃに載置される調理器具２００を加熱するための加熱手段として内側加熱コイル１４ａと外側加熱コイル１４ｂとで構成される誘導加熱コイル１４が設けられている。加熱手段としては、誘導加熱コイル１４の他、例えばラジエントヒーター等の電気ヒーター、又は後述するガスバーナーを用いることができるが、具体的な加熱手段はこれらに限定されない。また、本体１内の誘導加熱コイル１４や機器を冷却する冷却ファン２２が設けられている。
【００２６】
本発明の実施形態１に係る加熱調理器の構成について図２、図３に基づき更に詳述する。図３は本発明の実施形態１に係る加熱調理器の赤外線センサーを収納するセンサーケースの斜視図である。
本発明の実施形態１に係る加熱調理器は、図２のように調理器具２００を加熱する誘導加熱コイル１４と、誘導加熱コイル１４に高周波電流を供給する高周波インバーター１９とを備えている。誘導加熱コイル１４は、本体１内に水平に設置されたコイルベース１８の上面に設置されている。コイルベース１８には、赤外線センサー１２が収容されたセンサーケース２３が固定されている。これによって、赤外線センサー１２は、傾きなど位置ずれ、ばらつきを防ぐことができる。
【００２７】
赤外線センサー１２は、天板ガラス２の下に配置されて鍋底から放射される赤外線エネルギーを検知するものである。センサーケース２３は、調理器具２００の底面からの赤外線を透過させる透過窓１５を有し、センサーケース２３の天板ガラス２に対向する面にメッキを施すなどして、誘導加熱コイル１４の駆動時に発生する電磁ノイズの影響を抑制し、かつ天板ガラス２や誘導加熱コイル１４などからの輻射熱を防ぎ、赤外線センサー１２そのものが輻射熱を受けて検知精度が低下するのを防いでいる。
また、センサーケース２３は、少なくとも頂壁と側壁が非磁性材料（例えば樹脂）で構成されており、誘導加熱コイル１４の駆動時に、当該センサーケース２３が誘導加熱されるのを防いでいる。
透過窓１５は、窓材２４にて覆われている。この窓材２４は、シリコンからなるフィルターとして構成されており、このフィルターに反射防止膜が施されている。つまり、反射防止膜は、シリコンを母材とするフィルターに薄膜蒸着を施したものである。また、赤外線センサー１２と一体の受光部フィルターには、図３のようにバンドパスフィルター１１の薄膜蒸着コーティングが施されている。
また、赤外線センサー１２と一体の受光部フィルターをレンズ形状にして集光特性を持たせたり、前記受光部フィルターは平板形状で集光特性は持たないが、赤外線センサー１２内部に反射鏡を備えることで集光特性を持たせるなどし、１０〜３０°程度の視野角を有するようにすることで、赤外線センサー１２が、天板ガラス２の上に載置された調理器具２００の底面からの赤外線エネルギーを精度良く検知するようにしている。
【００２８】
また、本発明の実施形態１に係る加熱調理器は、赤外線センサー１２の出力を温度情報に変換する赤外線温度検知手段１３と、赤外線温度検知手段１３から入力した温度情報に基づいて、高周波インバーター１９を制御して誘導加熱コイル１４に所定の電力を供給する制御部１７とを備えている。また、制御部１７で予め設定された温度を検知したら、電力の供給を停止させたり、火力を下げたりするように制御するものである。
本発明の実施形態１に係る加熱調理器は、このように、予め設定された温度を検知したら、電力の供給を停止させたり、火力を下げたりすることで、調理器具２００の底面を一定温度になるように制御したり、火災を未然に防ぐことができる。
なお、本発明の実施形態１に係る加熱調理器は、調理器具２００の底面温度を検出するための温度検知手段として、赤外線センサー１２のみで説明しているが、天板ガラス２の下面に密着するように配置された、サーミスタで構成された接触式温度センサーからなる、別の温度検知手段と併用することで、検知精度を上げる構成としてもよい。
【００２９】
また、本発明の実施形態１に係る加熱調理器は、音声出力部３５と、音声出力部３５を制御する音声出力制御部３６とを備えている。音声出力制御部３６は、赤外線センサー１２で予め設定された温度を検知したら、音声出力部３５より音声を出力させるように制御するものである。
本発明の実施形態１に係る加熱調理器は、このように、予め設定された温度を検知したら、音声出力部３５より音声を出力させるように制御するので、火災を報知することができる。
【００３０】
また、本発明の実施形態１に係る加熱調理器は、表示部４を制御する表示制御部３７を備えている。表示制御部３７は、赤外線センサー１２で予め設定された温度を検知したら、表示部４に表示させるように制御するものである。
本発明の実施形態１に係る加熱調理器は、このように、予め設定された温度を検知したら、表示部４に表示させるように制御するので、火災を報知することができる。
【００３１】
また、図２のようにＨＥＭＳ（Ｈｏｍｅ  Ｅｎｅｒｇｙ  Ｍａｎａｇｅｍｅｎｔ  Ｓｙｓｔｅｍ）コントローラーがインターネット回線を介して、自動的に携帯電話やタブレット端末への送信や、消防への通報等を行なうようにしてもよく、通信記録をサーバーに保存しても良いものである。
【００３２】
本発明の実施形態１に係る加熱調理器において、図示していない電源スイッチを投入し、操作スイッチで所定の温度を設定すると、制御部１７が高周波インバーター１９を制御して誘導加熱コイル１４に所定の電力を供給する。誘導加熱コイル１４に高周波電流が供給されると、誘導加熱コイル１４から誘導磁界が発せられ、天板ガラス２上の調理器具２００が誘導加熱される。この誘導加熱によって調理器具２００の温度が上昇し、調理器具２００内の調理物が調理される。
【００３３】
次に、本発明の実施形態１に係る加熱調理器のセンサーケース２３の窓材２４すなわち反射防止膜の透過特性とバンドパスフィルター１１の透過特性について説明する。
図４は光の波長に対して物体から放射されるエネルギーである分光放射輝度曲線を示すグラフである。
図４に示されているように、光の波長に対して物体から放射されるエネルギーは、温度が高いほどエネルギーは高くなり、温度が低いほどエネルギーは低くなる。
【００３４】
図５は天板ガラス（結晶化ガラス）の透過特性の線図を各温度分光放射輝度曲線と共に示すグラフである。
天板ガラス２に用いられる結晶化ガラスは、図５中の線Ａで示されるように、０.２μｍ〜２.９μｍの波長の光を透過し、３〜４.５μｍの波長の光を透過し、４.５μｍよりも長い波長、及び、０.２μｍよりも短い波長の光を殆ど透過しない。
【００３５】
図６はシリコンを母材とする反射防止膜の透過特性を示すグラフである。
反射防止膜は、例えばＭｇＦ２やＳｉＯ２などの材質が汎用的な材料である。反射防止とは、裏を返せば、透過率を上げることである。透過率のピークをどの波長帯域に持ってくるかは、材料や膜厚により選択できる。
反射防止膜は、母材にＳｉ（シリコン）を使用することで、汎用かつ安価な構成とすることができる。また、天板ガラス２（結晶化ガラス）の熱伝導率は小さく（１．６０［Ｗ／ｍ・Ｋ］）、熱を吸収し易く、放熱し難いため、温められた結晶化ガラスが熱の放射源となり、赤外線センサー１２から見ればノイズ源となるが、シリコンは熱伝導率が高い（１．４９×１０２［Ｗ／ｍ・Ｋ］）ため、熱吸収率が小さく、天板ガラス２から放射される熱（輻射熱）の影響を受け難くすることができる。このため、下方に配置されている赤外線センサー１２への天板ガラス２からの輻射影響も小さくすることができ、赤外線センサー１２そのものの温度上昇を防ぐことができる。その結果、不要なノイズを防ぎ、Ｓ／Ｎ比が向上する。
【００３６】
また、反射防止膜は、図６に示されているように、反射防止膜のピークが３〜４．５μｍの波長帯の間にくるようにした。
これによって、図５の天板ガラス２の透過特性と各温度分光放射輝度曲線に示されているように、調理器具２００の底面から放射されて、天板ガラス２を透過してくる赤外線エネルギーの高い３〜４．５μｍの波長帯を高く透過させることができる。このため、検知に必要なエネルギーを効率よく検知させることができる。
【００３７】
また、反射防止膜は、３〜４．５μｍの波長帯の透過率が、４．５μｍ以上の波長帯の透過率よりも高くなるようにした。
これによって、図５の天板ガラス２の透過特性と各温度分光放射輝度曲線に示されているように、調理器具２００の底面から放射されて、天板ガラス２を透過してくる赤外線エネルギーの高い３〜４．５μｍの波長帯を他の波長帯よりも高く透過させることができ、検知するＳ／Ｎ比が向上する。
【００３８】
また、反射防止膜は、透過特性におけるピークの波長の透過率が９０％以上であるようにした。
これによって、天板ガラス２の透過特性に対応させて、鍋底温度の赤外線エネルギーを減衰させない透過率とすることができる。
【００３９】
図７はバンドパスフィルターの透過特性を示すグラフである。
天板ガラス２からの輻射成分を取り除くためには、図５に示す天板ガラス２の透過特性で鍋底から放射する赤外線エネルギーを透過する３〜４．５μｍ以外の不要な帯域を透過させないようにする必要がある。そのために、３〜４．５μｍ付近の波長帯域のみを透過するようなバンドパスフィルター１１として、薄膜蒸着コーティングを赤外線センサー１２の光学フィルター部分に施す。バンドパスフィルター１１は、ＳｉＯ、ＳｉＯ２、ＭｇＦ２、ＺｎＳ、及びＧｅなどの材料のうち少なくとも１種類以上の材料を、光学フィルター部分に蒸着して形成された薄膜を何層にも積層して形成されるため、製造コストが高価となる。また何層にも積層するため、図７に示されているように、バンドパスフィルター１１の透過特性としては、１０μｍ以上の波長の帯域においてリーク成分（Ｂで囲まれる領域）が存在し易くなる。これを、３〜４．５μｍ以外の帯域の波長を完全に透過させないようにするには、材料、膜厚、積層の組合せを調整することで改善可能だが、製造コストはさらに高価となる。そしてリーク成分が存在する場合は、天板ガラス２の輻射の影響（ノイズ）を受け易くなり、Ｓ／Ｎ比悪化によって温度検出精度も悪化する。
【００４０】
また、例えばバンドパスフィルター目的で天板ガラス２と同じ透過特性のガラスを用い、センサーケース２３の受光面（開口部）を閉じた場合、前述の通りガラスは熱伝導特性が悪く、熱を吸収し易いため、追加したガラスからの２次輻射の影響で、検知温度精度が悪化する。そのため、バンドパスフィルターを施す光学フィルターの母材として、熱伝導特性の良いシリコンを使用することで、２次輻射の影響を抑制し、その結果、不要なノイズを防ぎ、Ｓ／Ｎ比が向上する。
【００４１】
図８は反射防止膜の透過特性の線図をバンドパスフィルターの透過特性の線図と共に示すグラフである。
図８に示されているように、反射防止膜の透過特性として、透過率のピークを３〜４．５μｍの波長帯の間に持ってくることで、反射防止膜の１０〜１９μｍの波長帯（バンドパスフィルター１１のリークのある波長帯）の透過率を４０％まで下げることができる。それによって、リーク成分も下げることができて、その分、天板ガラス２から放射される不要な赤外線エネルギーをカットすることができる。その結果、比較的安価に、検出したい波長の帯域は損なわれずに、検出したくない領域を減衰させることができる。
したがって、本発明の実施形態１に係る加熱調理器では、反射防止膜は、透過特性が、３〜４．５μｍの波長帯の間に透過率のピークを有するものとした。
【００４２】
図９はバンドパスフィルターの透過特性の線図を天板ガラス（結晶化ガラス）の透過特性の線図と共に示すグラフである。
バンドパスフィルター１１は、母材として天板ガラス２と同じ透過特性を有するものを用いることで、薄膜蒸着コーティングが不要となり、コストを抑えることができる。ただし、前述の通り天板ガラス２と同じ材質を用いただけでは、熱伝導率が小さく熱を吸収し易く、ノイズの要因となるが、シリコン母材の反射防止膜を別に設けることにより、天板ガラス２からの輻射の影響を受け難くすることができる。また、センサーケースに施したメッキによっても、天板ガラス２からの輻射の影響を受けにくくすることができる。
したがって、本発明の実施形態１に係る加熱調理器では、バンドパスフィルター１１は、天板ガラス２と同じ透過特性を有するものとした。
【００４３】
また、バンドパスフィルター１１は、図９に示されているように、透過特性として、３〜４．５μｍの波長帯の間に透過率のピークを有するものを用いることで、図５の天板ガラス２の透過特性と各温度分光放射輝度曲線から、調理器具２００の底面から放射されて、天板ガラス２を透過してくる赤外線エネルギーの高い３〜４．５μｍの波長帯を高く透過させることができる。このため、検知に必要なエネルギーを効率よく検知させることができる。
したがって、本発明の実施形態１に係る加熱調理器では、バンドパスフィルター１１は、透過特性が、３〜４．５μｍの波長帯の間に透過率のピークを有するものとした。
【００４４】
以上のような透過特性をもつ反射防止膜とバンドパスフィルター１１とを光軸上に有する赤外線センサー１２を、誘導加熱調理器１００に用いることで、鍋底温度の赤外線エネルギーを効率良く抽出できる加熱調理器が得られる。
【００４５】
図１１は本発明の実施形態１に係る加熱調理器の反射防止膜が施されたフィルターを示す模式図であり、（ａ）は片面に反射防止膜が施されたもの、（ｂ）は両面に反射防止膜が施されたものである。
窓材２４は、シリコンを母材とするフィルターに反射防止膜（薄膜蒸着）４１を施したものであるが、図１１（ａ）のようにフィルターの片面に反射防止膜（薄膜蒸着）４１を単層で施すことによって、薄膜蒸着の工程を簡素化でき、コスト低減が図れる。
【００４６】
また、図１１（ｂ）のようにフィルターの両面に反射防止膜（薄膜蒸着）４１，４２を施すことによって、透過特性を急峻にし易くなり、目的とする特性が得られ易くなる。
【００４７】
本発明の実施形態１に係る加熱調理器は、図３で説明したように、センサーケース２３の透過窓１５を覆う窓材２４に反射防止膜を施し、赤外線センサー１２と一体の受光部フィルターにバンドパスフィルター１１を施してある。このように、反射防止膜とバンドパスフィルター１１とを、センサーケース２３の透過窓１５を覆う窓材２４と赤外線センサー１２の受光部フィルターとに施すことで、部材の共通化及びコスト低減化が図れる。
【００４８】
なお、反射防止膜とバンドパスフィルター１１との位置関係は逆でもよい。つまり、センサーケース２３の透過窓１５を覆う窓材２４にバンドパスフィルター１１を施し、赤外線センサー１２と一体の受光部フィルターに反射防止膜を施してもよい。このような場合でも、部材の共通化及びコスト低減化が図れる。
【００４９】
また、反射防止膜とバンドパスフィルター１１とは、図１１（ｂ）のように窓材２４の両面に施してもよい。つまり、反射防止膜は、透過窓１５を覆う窓材２４の表裏面における一方の面に施し、バンドパスフィルター１１は、窓材２４の表裏面における他方の面に施してもよい。このような場合でも、部材の共通化及びコスト低減化が図れる。
【００５０】
また、例えば赤外線センサー１２と一体の受光部フィルターが平板でなる場合には、この受光部フィルターの両面に施してもよい。つまり、反射防止膜は、赤外線センサー１２と一体の受光部フィルターの表裏面における一方の面に施し、バンドパスフィルター１１は、受光部フィルターの表裏面における他方の面に施してもよい。このような場合でも、部材の共通化及びコスト低減化が図れる。
【００５１】
なお、反射防止膜が施された窓材２４は、図３のようにセンサーケース２３に固定されている。このように、窓材２４をセンサーケース２３に固定することで、窓材２４の傾き、位置ずれのばらつきを防ぐことができる。
【００５２】
図１２は本発明の実施形態１に係る加熱調理器の反射防止膜が施された窓材２４のセンサーケースへの取付の第１例を示す断面図であり、前述の図２及び図３と同一部分には同一符号を付してある。
図１２に示されているように、反射防止膜が施された窓材２４は、透過窓１５の上に配置され、調理器具２００の底面から放射される赤外線を赤外線センサー１２が受光する光路上に開口部を有する樹脂カバー４３で上方から透過窓１５に押し付けられて固定されている。
【００５３】
このように、透過窓１５の上に配置された窓材２４を、開口部を有する樹脂カバー４３で透過窓１５に押し付けて固定することで、窓材２４の傾き、位置ずれのばらつきを防ぐことができる。
【００５４】
図１３は本発明の実施形態１に係る加熱調理器の反射防止膜が施された窓材２４のセンサーケースへの取付の第２例を示す断面図であり、前述の図１２に相当する部分には同一符号を付してある。
図１３に示されているように、窓材２４は、透過窓１５の下に配置され、開口部を有する樹脂カバー４３で裏面側から透過窓１５に押し付けられて固定されている。
【００５５】
このように、透過窓１５の下に配置された窓材２４を、開口部を有する樹脂カバー４３で透過窓１５に押し付けて固定することで、窓材２４の傾き、位置ずれのばらつきを防ぐことができる。
【００５６】
図１４は本発明の実施形態１に係る加熱調理器の反射防止膜が施された窓材２４のセンサーケースへの取付の第３例を示す断面図であり、前述の図１２に相当する部分には同一符号を付してある。
図１４に示されているように、窓材２４は、透過窓１５の上に配置され、開口部を有する防磁板４４で上方から透過窓１５に押し付けられて固定されている。
【００５７】
このように、透過窓１５の上に配置された窓材２４を、開口部を有する防磁板４４で上方から透過窓１５に押し付けて固定することで、窓材２４の傾き、位置ずれのばらつきを防ぐことができる。また、誘導加熱コイル１４（図２）の駆動時に、赤外線センサー１２が誘導加熱されるのを防ぐことができる。
【００５８】
図１５は本発明の実施形態１に係る加熱調理器の反射防止膜が施された窓材２４のセンサーケースへの取付の第４例を示す断面図であり、前述の図１２に相当する部分には同一符号を付してある。
図１５に示されているように、窓材２４は、透過窓１５の上に配置され、赤外線センサー１２の視野外となる透過窓１５の縁に、接着剤（または両面テープ）４５にて固定されている。
【００５９】
このように、透過窓１５の上に配置された窓材２４を、赤外線センサー１２の視野外となる透過窓１５の縁に、接着剤（または両面テープ）４５にて固定することで、窓材２４の傾き、位置ずれのばらつきを防ぐことができる。
【００６０】
図１６は本発明の実施形態１に係る加熱調理器の反射防止膜が施された窓材２４のセンサーケースへの取付の第５例を示す断面図であり、前述の図１２に相当する部分には同一符号を付してある。
図１６に示されているように、窓材２４は、透過窓１５の下に配置され、赤外線センサー１２の視野外となる透過窓１５の縁に、接着剤（または両面テープ）４５にて固定されている。
【００６１】
このように、透過窓１５の下に配置された窓材２４を、赤外線センサー１２の視野外となる透過窓１５の縁に、接着剤（または両面テープ）４５にて固定することで、窓材２４の傾き、位置ずれのばらつきを防ぐことができる。
【００６２】
図１７は本発明の実施形態１に係る加熱調理器の反射防止膜が施された窓材２４のセンサーケースへの取付の第６例を示す断面図であり、前述の図１２に相当する部分には同一符号を付してある。
図１７に示されているように、窓材２４は、透過窓１５の上に配置され、赤外線センサー１２の視野外となる透過窓１５の縁に設けた爪４６，４７に係合し、固定されている。
【００６３】
このように、透過窓１５の上に配置された窓材２４を、赤外線センサー１２の視野外となる透過窓１５の縁に設けた爪４６，４７に係合させて、固定することで、窓材２４の傾き、位置ずれのばらつきを防ぐことができる。
【００６４】
図１８は本発明の実施形態１に係る加熱調理器の反射防止膜が施された窓材２４のセンサーケースへの取付の第７例を示す断面図であり、前述の図１２に相当する部分には同一符号を付してある。
図１８に示されているように、窓材２４は、透過窓１５の下に配置され、赤外線センサー１２の視野外となる透過窓１５の縁に設けた爪４６，４７に係合し、固定されている。
【００６５】
このように、透過窓１５の下に配置された窓材２４を、赤外線センサー１２の視野外となる透過窓１５の縁に設けた爪４６，４７に係合させて、固定することで、窓材２４の傾き、位置ずれのばらつきを防ぐことができる。
【００６６】
図１９は本発明の実施形態１に係る加熱調理器の反射防止膜が施された窓材２４のセンサーケースへの取付の第８例を示す断面図であり、前述の図１２に相当する部分には同一符号を付してある。
図１９に示されているように、ここでは、センサーケース２３Ａの周壁をその端面が天板ガラス２方向へ当接するまで延出させて筒状の延長された遮蔽壁２３ａを形成し、この筒状の延長された遮蔽壁２３ａの途中に窓材２４Ａを配置したものである。
【００６７】
このように、センサーケース２３Ａの周壁をその端面が天板ガラス２へ当接するまで延出させて筒状の延長された遮蔽壁２３ａを形成し、この筒状の延長された遮蔽壁２３ａの途中に窓材２４Ａを配置したので、冷却風が赤外線センサー１２に直接当たるのを防止することができる。
なお、図１９では天板ガラス２へ当接した図として説明したが、当接しなくても筒状に形成されていて、その筒の途中に窓材２４Ａが配置されていても良い。
【００６８】
反射防止膜が施されたフィルター、つまり窓材２４は、ここでは正方形のものを図３に示し説明したが、窓材２４の形状はこれに限定されるものでなく、赤外線センサー１２の視野を遮らない形状、大きさであればよく、例えば円形または多角形に形成されていてもよく、このような場合でも同等の効果が得られる。
【００６９】
実施形態２．
図２０は本発明の実施形態２に係る加熱調理器の構成を示すブロック図である。
本発明の実施形態２に係る加熱調理器すなわちガスバーナー式加熱調理器１００Ａは、前述の図２の誘導加熱調理器１００とは、加熱部の構成が異なっている。
【００７０】
図１０は炎から放射される赤外線の波長と強度の特性を示すグラフである。
図１０に示されているように、可燃物が空気中で酸化燃焼するときに発生する炎からの放射線の中で、有機物の酸化燃焼に特有のスペクトルとして、酸化の際に発生する炭酸ガスより発せられる４．３μｍ付近にピークを有する赤外線が知られている。この４．３μｍ付近の赤外線を検出することにより、殆ど全ての火災を検出することができる。
したがって、本発明の実施形態２に係る加熱調理器では、反射防止膜として、透過特性におけるピークの波長が４．３μｍであるものとした。
【００７１】
すなわち、本発明の実施形態２に係るガスバーナー式加熱調理器１００Ａは、図２０のように調理器具２００を加熱するための加熱手段であるガスバーナー５０と、ガスバーナー５０にガスを供給するガス供給調節手段（流量調節弁）５１と、ガス供給手段５２と、前述のような透過特性をもつ反射防止膜とバンドパスフィルター１１とを光軸上に有する赤外線センサー１２と、赤外線センサー１２の出力により炎検知する炎検知手段５３と、炎検知手段５３から入力した検知情報に基づいて、ガス供給調節手段５１を制御してガスバーナー５０に所定量のガスを供給する制御部１７Ａとを備えている。また、制御部１７Ａで予め設定された出力を検知したら、ガスの供給を停止し、加熱を停止させるように制御するものである。
本発明の実施形態２に係る加熱調理器は、このように、予め設定された出力を検知したら、ガスの供給を停止し、加熱を停止させるので、火災を未然に防ぐことができる。
【００７２】
また、本発明の実施形態２に係る加熱調理器は、音声出力部３５と、音声出力部３５を制御する音声出力制御部３６とを備えている。音声出力制御部３６は、赤外線センサー１２で予め設定された出力を検知したら、音声出力部３５より音声を出力させるように制御するものである。
本発明の実施形態２に係る加熱調理器は、このように、予め設定された出力を検知したら、音声出力部３５より音声を出力させるように制御するので、火災を報知することができる。また、加熱を停止したことを報知することもできる。
【００７３】
また、本発明の実施形態２に係る加熱調理器は、表示部４を制御する表示制御部３７を備えている。表示制御部３７は、赤外線センサー１２で予め設定された出力を検知したら、表示部４に表示させるように制御するものである。
本発明の実施形態２に係る加熱調理器は、このように、予め設定された出力を検知したら、表示部４に表示させるように制御するので、火災を報知することができる。また、加熱を停止したことを報知することもできる。
【００７４】
また、図２０のようにＨＥＭＳ（Ｈｏｍｅ  Ｅｎｅｒｇｙ  Ｍａｎａｇｅｍｅｎｔ  Ｓｙｓｔｅｍ）で、自動的に携帯電話やタブレット端末、消防への通報を行なうようにしてもよく、通信記録をサーバーに保存しても良いものである。
【００７５】
本発明の実施形態２に係る加熱調理器において、図示していない電源スイッチ及び火力スイッチを投入すると、ガスバーナー５０に所定量のガスが供給され、ガスが着火し、天板ガラス２上の調理器具２００が加熱される。この加熱によって調理器具２００の温度が上昇し、調理器具２００内の調理物が調理される。
【００７６】
本発明の実施形態２に係る加熱調理器においても、赤外線センサー１２は、反射防止膜として、透過特性におけるピークの波長が４．３μｍであるものが使用されている。このため、火災を検知することができる。
なお、本発明の実施形態２に係る加熱調理器は、炎検知手段５３として赤外線センサー１２の出力が、予め設定された出力に達したかどうかで、ガスの供給を停止するかどうかの判断を行なうと説明しているが、調理器具２００の下面に密着するように配置された、サーミスタで構成された接触式温度センサーからなる、温度検知手段と併用することで、検知精度を上げる構成としてもよい。
【符号の説明】
【００７７】
１  本体、２  天板ガラス、３ａ，３ｂ，３ｃ  操作部、４  表示部、４ａ，４ｂ  液晶表示部、４ｃ  中央液晶表示部、５ａ，５ｂ  火力表示部、５ｃ  中央火力表示部、６ａ，６ｂ，６ｃ  加熱部、７ａ，７ｂ  赤外線センサーが配置される部位、８  排気口、９ａ，９ｂ  吸気口、１０ａ，１０ｂ  吸気口カバー、１０ｃ  排気口カバー、１１  バンドパスフィルター、１２  赤外線センサー、１３  赤外線温度検知手段、１４  誘導加熱コイル、１４ａ  内側加熱コイル、１４ｂ  外側加熱コイル、１５  透過窓、１７，１７Ａ  制御部、１８  コイルベース、１９  高周波インバーター、２２  冷却ファン、２３，２３Ａ  センサーケース、２３ａ  筒状の延長された遮蔽壁、２４，２４Ａ  窓材、３１  前枠部、３２  後枠部、３５  音声出力部、３６  音声出力制御部、３７  表示制御部、４１，４２  反射防止膜、４３  開口部を有する樹脂カバー、４４  開口部を有する防磁板、４５  接着剤（または両面テープ）、４６，４７  爪、５０  ガスバーナー、５１  ガス供給調節手段、５２  ガス供給手段、５３  炎検知手段、１００  誘導加熱調理器（加熱調理器）、１００Ａ  ガスバーナー式加熱調理器（加熱調理器）、２００  調理器具、Ａ  線、Ｂ  リーク成分。
【図１】
2015084306.tif 000003
【図２】
2015084306.tif 000004
【図３】
2015084306.tif 000005
【図４】
2015084306.tif 000006
【図５】
2015084306.tif 000007
【図６】
2015084306.tif 000008
【図７】
2015084306.tif 000009
【図８】
2015084306.tif 000010
【図９】
2015084306.tif 000011
【図１０】
2015084306.tif 000012
【図１１】
2015084306.tif 000013
【図１２】
2015084306.tif 000014
【図１３】
2015084306.tif 000015
【図１４】
2015084306.tif 000016
【図１５】
2015084306.tif 000017
【図１６】
2015084306.tif 000018
【図１７】
2015084306.tif 000019
【図１８】
2015084306.tif 000020
【図１９】
2015084306.tif 000021
【図２０】
2015084306.tif 000022